(57)【要約】      （修正有）【課題】位置情報から周辺の無線局が使用している周波数を取得してノッチ周波数を算出し、その出力を下げるようにしたネットワーク接続及び機器接続電力線搬送通信装置を提供する。【解決手段】ＬＡＮ５に接続された親ＰＬＣモデム３と、外部ネットワークと、ブロードバンドルータ６と、ルータ６の住所情報およびグローバルＩＰアドレスを記憶する顧客情報管理データベース１０と、ＰＬＣ情報管理サーバ１１と、無線局情報管理データベース１４とからノッチ周波数設定システムを構成し、親ＰＬＣモデム３のノッチ設定回路３７が、グローバルＩＰアドレスを取得してＰＬＣ情報管理サーバ１１に送信し、サーバー１１は顧客情報管理データベース１０から住所情報を取得し、その住所情報に基づいて無線局情報管理データベース１４から無線局の周波数情報を取得してノッチ周波数情報を算出し、親ＰＬＣモデム３に送信してこのノッチ周波数を設定する。【選択図】  図１
2006216996.tif 000002
【特許請求の範囲】
【請求項１】
ローカルエリアネットワークと電力線との間に設けられ、前記電力線を媒体として電力線通信信号の送受信を行うことにより、前記ローカルエリアネットワークと前記電力線との間で情報の送受信を行うネットワーク接続電力線搬送通信装置であって、
前記電力線に対して前記電力線通信信号の入出力を行う信号／電源結合回路と、
前記ローカルエリアネットワークから入力された送信データを前記電力線通信信号に変調する変調回路と、
前記電力線から入力された前記電力線通信信号を復調して前記ローカルエリアネットワークに受信データとして出力する復調回路と、
前記ローカルエリアネットワークから受け取ったノッチ周波数情報により前記変調回路の出力を下げるノッチ設定回路とから構成されることを特徴するネットワーク接続電力線搬送通信装置。
【請求項２】
前記ノッチ設定回路が、前記ローカルエリアネットワークから受け取った前記ノッチ周波数情報を前記変調回路を介して前記電力線に出力するように構成されたことを特徴とする請求項１に記載のネットワーク接続電力線搬送通信装置。
【請求項３】
外部装置と電力線との間に設けられ、前記電力線を媒体として電力線通信信号の送受信を行うことにより、前記外部装置と前記電力線との間で情報の送受信を行う機器接続電力線搬送通信装置であって、
前記電力線に対して前記電力線通信信号の入出力を行う信号／電源結合回路と、
前記外部装置から入力された送信データを前記電力線通信信号に変調する変調回路と、
前記電力線から入力された前記電力線通信信号を復調して前記外部装置に受信データとして出力する復調回路と、
前記電力線から入力されたノッチ周波数情報により前記変調回路の出力を下げるノッチ設定回路とから構成されることを特徴する機器接続電力線搬送通信装置。
【請求項４】
ローカルエリアネットワークと、
前記ローカルエリアネットワークに接続された請求項１に記載のネットワーク接続電力線搬送通信装置と、
外部ネットワークと、
前記ローカルエリアネットワークと前記外部ネットワークとの間に設けられ前記ローカルエリアネットワークと前記外部ネットワークとの情報の授受を行うルータ装置と、
前記外部ネットワークに接続され、前記ルータ装置の住所情報を前記ルータ装置に割り当てられたグローバルＩＰアドレスとともに記憶する顧客情報管理データベースと、
前記外部ネットワークに接続されたＰＬＣ情報管理サーバと、
無線局の位置情報とともに前記無線局が使用する周波数情報を記憶する無線局情報管理データベースとから構成され、
前記ネットワーク接続電力線搬送通信装置の前記ノッチ設定回路が、前記ルータ装置から前記グローバルＩＰアドレスを取得して前記ＰＬＣ情報管理サーバに送信するように構成され、
前記ＰＬＣ情報管理サーバが、前記ノッチ設定回路から送信された前記グローバルＩＰアドレスに基づいて前記顧客情報管理データベースから前記住所情報を取得し、さらに、取得した前記住所情報に基づいて前記無線局情報管理データベースから所定の範囲内に位置する前記無線局の前記周波数情報を取得して前記ノッチ周波数情報を算出し、算出された前記ノッチ周波数情報を前記ネットワーク接続電力線搬送通信装置に送信し、
前記ネットワーク接続電力線搬送通信装置の前記ノッチ設定回路が、前記ノッチ周波数情報を受け取って前記変調回路の出力を下げるように構成されたことを特徴とするノッチ周波数設定システム。
【請求項５】
ローカルエリアネットワークと、
電力線と、
前記ローカルエリアネットワークおよび前記電力線に接続された請求項２に記載のネットワーク接続電力線搬送通信装置と、
前記電力線に接続された少なくとも１台の請求項３に記載の機器接続電力線搬送通信装置と、
外部ネットワークと、
前記ローカルエリアネットワークと前記外部ネットワークとの間に設けられ前記ローカルエリアネットワークと前記外部ネットワークとの情報の授受を行うルータ装置と、
前記外部ネットワークに接続され、前記ルータ装置の住所情報を前記ルータ装置に割り当てられたグローバルＩＰアドレスとともに記憶する顧客情報管理データベースと、
前記外部ネットワークに接続されたＰＬＣ情報管理サーバと、
無線局の位置情報とともに前記無線局が使用する周波数情報を管理する無線局情報管理データベースとから構成され、
前記ネットワーク接続電力線搬送通信装置の前記ノッチ設定回路が、前記ルータ装置から前記グローバルＩＰアドレスを取得して前記ＰＬＣ情報管理サーバに送信するように構成され、
前記ＰＬＣ情報管理サーバが、前記ノッチ設定回路から送信された前記グローバルＩＰアドレスに基づいて前記顧客情報管理データベースから前記住所情報を取得し、さらに、取得した前記住所情報に基づいて前記無線局情報管理データベースから所定の範囲内に位置する前記無線局の周波数情報を取得して前記ノッチ周波数情報を算出し、算出された前記ノッチ周波数情報を前記ネットワーク接続電力線搬送通信装置に送信し、
前記ネットワーク接続電力線搬送通信装置の前記ノッチ設定回路が、前記ノッチ周波数情報を受け取って前記変調回路の出力を下げるとともに、前記ノッチ周波数情報を前記機器接続電力線搬送通信装置に送信し、
前記機器接続電力線搬送通信装置の前記ノッチ設定回路が、前記ノッチ周波数情報を受け取って前記変調回路の出力を下げるように構成されたことを特徴とするノッチ周波数設定システム。
【請求項６】
ローカルエリアネットワークと、
前記ローカルエリアネットワークに接続された請求項１に記載のネットワーク接続電力線搬送通信装置と、
前記ローカルエリアネットワークに接続された外部ネットワークと、
前記外部ネットワークに接続されたＰＬＣ情報管理サーバと、
無線局の位置情報とともに前記無線局が使用する周波数情報を記憶する無線局情報管理データベースとから構成され、
前記ネットワーク接続電力線搬送通信装置がＧＰＳを有し、前記ノッチ設定回路が、前記ＧＰＳから取得したモデム位置情報を前記ＰＬＣ情報管理サーバに送信するように構成され、
前記ＰＬＣ情報管理サーバが、前記ノッチ設定回路から送信された前記モデム位置情報に基づいて前記無線局情報管理データベースから所定の範囲内に位置する前記無線局の前記周波数情報を取得して前記ノッチ周波数情報を算出し、算出された前記ノッチ周波数情報を前記ネットワーク接続電力線搬送通信装置に送信し、
前記ネットワーク接続電力線搬送通信装置の前記ノッチ設定回路が、前記ノッチ周波数情報を受け取って前記変調回路の出力を下げるように構成されたことを特徴とするノッチ周波数設定システム。
【請求項７】
ローカルエリアネットワークと、
電力線と、
前記ローカルエリアネットワークおよび前記電力線に接続された請求項２に記載のネットワーク接続電力線搬送通信装置と、
前記電力線に接続された少なくとも１台の請求項３に記載の機器接続電力線搬送通信装置と、
前記ローカルエリアネットワークに接続された外部ネットワークと、
前記外部ネットワークに接続されたＰＬＣ情報管理サーバと、
無線局の位置情報とともに前記無線局が使用する周波数情報を記憶する無線局情報管理データベースとから構成され、
前記ネットワーク接続電力線搬送通信装置がＧＰＳを有し、前記ノッチ設定回路が、前記ＧＰＳから取得したモデム位置情報を前記ＰＬＣ情報管理サーバに送信するように構成され、
前記ＰＬＣ情報管理サーバが、前記ノッチ設定回路から送信された前記モデム位置情報に基づいて前記無線局情報管理データベースから所定の範囲内に位置する前記無線局の前記周波数情報を取得して前記ノッチ周波数情報を算出し、算出された前記ノッチ周波数情報を前記ネットワーク接続電力線搬送通信装置に送信し、
前記ネットワーク接続電力線搬送通信装置の前記ノッチ設定回路が、前記ノッチ周波数情報を受け取って前記変調回路の出力を下げるとともに、前記ノッチ周波数情報を前記機器接続電力線搬送通信装置に送信し、
前記機器接続電力線搬送通信装置の前記ノッチ設定回路が、前記ノッチ周波数情報を受け取って前記変調回路の出力を下げるように構成されたことを特徴とするノッチ周波数設定システム。
【請求項８】
前記無線局情報管理データベースが、変更のあった前記無線局の前記位置情報および前記周波数情報を前記ＰＬＣ情報管理サーバに送信するように構成され、
前記ＰＬＣ情報管理サーバが、前記無線局情報管理サーバから送信された前記位置情報および前記周波数情報に基づいて前記ノッチ周波数情報を算出し、算出された前記周波数情報を前記位置情報に基づき該当する前記ネットワーク接続電力線搬送通信装置に送信するように構成されたことを特徴とする請求項４〜７のいずれかに記載のノッチ周波数設定システム。
【請求項９】
前記ＰＬＣ情報管理サーバが所定の時間間隔で前記無線局情報管理サーバから変更のあった前記無線局の前記位置情報および前記周波数情報を取得して、取得した前記位置情報および前記周波数情報に基づいて前記ノッチ周波数情報を算出し、算出された前記周波数情報を前記位置情報に基づき該当する前記ネットワーク接続電力線搬送通信装置に送信するように構成されたことを特徴とする請求項４〜７のいずれかに記載のノッチ周波数設定システム。
【発明の詳細な説明】
【技術分野】
【０００１】
本発明は、設定されたノッチ周波数に対応する出力を下げるように構成されたネットワーク接続および機器接続電力線搬送通信装置、および、これらの電力線搬送通信装置の住所情報若しくは位置情報から周辺の無線局が使用している周波数を取得して、その周波数からノッチ周波数を算出して電力線搬送通信装置に設定するノッチ周波数設定システムに関する。
【背景技術】
【０００２】
電力線搬送通信装置（以下、「ＰＬＣモデム」と呼ぶ）は、既存の配電線若しくは屋内配線等の電力線を用いて通信を行う装置であり、コンセントがあればそれを介して通信を行うことができるため、通信端末の設置場所の制約が低くなる。そのため、今後の情報化社会への貢献は大きい。しかし、ＰＬＣモデムで使用する周波数帯域は、アマチュア無線、船舶航空無線など多数の既存無線設備が使用しているため、ＰＬＣモデムの通信により電力線から生じる漏洩電波がそれらの無線設備に与える影響は大きい。そのため、ＰＬＣモデムを設置するときは、周辺に位置する無線局の情報等の設置環境に合わせて、既存の無線設備と干渉を起こさないようにノッチフィルタの帯域設定が行われている（例えば、特許文献１参照）。
【０００３】
【特許文献１】特開平９−３２６７４３号公報
【発明の開示】
【発明が解決しようとする課題】
【０００４】
しかしながら、ＰＬＣモデムの設置時にノッチフィルタの帯域設定を行うように構成すると、設置環境の情報を事前に入手するか、若しくは、設置時にスペクトルアナライザ等で測定を行わなければならず、また、周辺無線局と設置場所の離間距離から干渉計算を行い、ノッチフィルタの設定の有無を判定する必要があるため、時間と労力を要するという課題がある。さらに、ＰＬＣモデム設置後に、周辺に無線局が新設された場合には、その無線局に対して干渉が生じてしまう虞がある。
【０００５】
本発明は、このような課題に鑑みてなされたものであり、設置されている位置情報から周辺の無線局が使用している周波数を取得してノッチ周波数を算出し、そのノッチ周波数の出力を下げるように構成されたネットワーク接続電力線搬送通信装置、機器接続電力線搬送通信装置およびノッチ周波数設定システムを提供することを目的とする。
【課題を解決するための手段】
【０００６】
前記課題を解決するために、本発明に係るネットワーク接続電力線搬送通信装置（例えば、実施形態における親ＰＬＣモデム３）は、ローカルエリアネットワーク（ＬＡＮ）と電力線との間に設けられ、電力線を媒体として電力線通信信号の送受信を行うことにより、ローカルエリアネットワークと電力線との間で情報の送受信を行うものであり、電力線に対して電力線通信信号の入出力を行う信号／電源結合回路と、ローカルエリアネットワークから入力された送信データを電力線通信信号に変調する変調回路と、電力線から入力された電力線通信信号を復調してローカルエリアネットワークに受信データとして出力する復調回路と、ローカルエリアネットワークから受け取ったノッチ周波数情報により変調回路の出力を下げるノッチ設定回路（例えば、実施形態における親機用ノッチ設定回路３７）とから構成される。
【０００７】
なお、このネットワーク接続電力線搬送通信装置は、ノッチ設定回路が、ローカルエリアネットワークから受け取ったノッチ周波数情報を、変調回路を介して電力線に出力するように構成されることが好ましい。
【０００８】
また、本発明に係る機器接続電力線搬送通信装置（例えば、実施形態における子ＰＬＣモデム２）は、外部装置（例えば、実施形態における情報処理装置１）と電力線との間に設けられ、この電力線を媒体として電力線通信信号の送受信を行うことにより、外部装置と電力線との間で情報の送受信を行うものであり、電力線に対して電力線通信信号の入出力を行う信号／電源結合回路と、外部装置から入力された送信データを電力線通信信号に変調する変調回路と、電力線から入力された電力線通信信号を復調して外部装置に受信データとして出力する復調回路と、電力線から入力されたノッチ周波数情報により変調回路の出力を下げるノッチ設定回路（例えば、実施形態における子機用ノッチ設定回路２７）とから構成される。
【０００９】
さらに、第１の本発明に係るノッチ周波数設定システムは、ローカルエリアネットワークと、このローカルエリアネットワークに接続された上記ネットワーク接続電力線搬送通信装置と、外部ネットワーク（例えば、実施形態における事業者ネットワーク１２およびインターネット網１３）と、ローカルエリアネットワークと外部ネットワークとの間に設けられローカルエリアネットワークと外部ネットワークとの情報の授受を行うルータ装置（例えば、実施形態におけるブロードバンドルータ６）と、外部ネットワークに接続され、ルータ装置の住所情報をこのルータ装置に割り当てられたグローバルＩＰアドレスとともに記憶する顧客情報管理データベースと、外部ネットワークに接続されたＰＬＣ情報管理サーバと、無線局の位置情報とともにこの無線局が使用する周波数情報を記憶する無線局情報管理データベースとから構成される。このような構成のノッチ周波数システムにおいて、ネットワーク接続電力線搬送通信装置のノッチ設定回路が、ルータ装置からグローバルＩＰアドレスを取得してＰＬＣ情報管理サーバに送信し、ＰＬＣ情報管理サーバが、ノッチ設定回路から送信されたグローバルＩＰアドレスに基づいて顧客情報管理データベースから住所情報を取得し、さらに、取得した住所情報に基づいて無線局情報管理データベースから所定の範囲内に位置する無線局の周波数情報を取得してノッチ周波数情報を算出し、算出されたノッチ周波数情報をネットワーク接続電力線搬送通信装置に送信する。そして、ネットワーク接続電力線搬送通信装置のノッチ設定回路が、ノッチ周波数情報を受け取って変調回路の出力を下げる。また、第２の本発明に係るノッチ周波数設定システムは、このような第１の本発明に係るノッチ周波数設定システムの構成に加えて、ネットワーク接続電力線搬送通信装置と電力線を介して接続された機器接続電力線搬送通信装置を有するとともに、ネットワーク接続電力線搬送通信装置のノッチ設定回路が、受け取ったノッチ周波数情報を機器接続電力線搬送通信装置に送信するように構成され、機器接続電力線搬送通信装置のノッチ設定回路が、ノッチ周波数を受け取って変調回路の出力を下げるように構成される。
【００１０】
あるいは、第３の本発明に係るノッチ周波数設定システムは、ローカルエリアネットワークと、このローカルエリアネットワークに接続された上述のネットワーク接続電力線搬送通信装置と、ローカルエリアネットワークに接続された外部ネットワークと、外部ネットワークに接続されたＰＬＣ情報管理サーバと、無線局の位置情報とともにこの無線局が使用する周波数情報を記憶する無線局情報管理データベースとから構成される。このような構成のノッチ周波数システムにおいて、ネットワーク接続電力線搬送通信装置がＧＰＳ（例えば、実施形態における位置取得回路３８およびＧＰＳアンテナ３９）を有し、ノッチ設定回路が、ＧＰＳから取得したモデム位置情報をＰＬＣ情報管理サーバに送信し、ＰＬＣ情報管理サーバが、ノッチ設定回路から送信されたモデム位置情報に基づいて無線局情報管理データベースから所定の範囲内に位置する無線局の周波数情報を取得してノッチ周波数情報を算出し、算出されたノッチ周波数情報をネットワーク接続電力線搬送通信装置に送信する。そして、ネットワーク接続電力線搬送通信装置のノッチ設定回路が、ノッチ周波数情報を受け取って変調回路の出力を下げる。また、第４の本発明に係るノッチ周波数設定システムは、このような第３の本発明に係るノッチ周波数設定システムの構成に加えて、ネットワーク接続電力線搬送通信装置と電力線を介して接続された機器接続電力線搬送通信装置を有するとともに、ネットワーク接続電力線搬送通信装置のノッチ設定回路が、受け取ったノッチ周波数情報を機器接続電力線搬送通信装置に送信するように構成され、機器接続電力線搬送通信装置のノッチ設定回路が、ノッチ周波数を受け取って変調回路の出力を下げるように構成される。
【００１１】
なお、第１〜第４の本発明に係るノッチ周波数設定システムにおいて、無線局情報管理データベースが、変更のあった無線局の位置情報および周波数情報をＰＬＣ情報管理サーバに送信するように構成され、ＰＬＣ情報管理サーバが、無線局情報管理サーバから送信された位置情報および周波数情報に基づいてノッチ周波数情報を算出し、算出された周波数情報を位置情報に基づき該当するネットワーク接続電力線搬送通信装置に送信するように構成されることが好ましい。あるいは、ＰＬＣ情報管理サーバが所定の時間間隔で無線局情報管理サーバから変更のあった無線局の位置情報および周波数情報を取得して、取得した位置情報および周波数情報に基づいてノッチ周波数情報を算出し、算出された周波数情報を位置情報に基づき該当するネットワーク接続電力線搬送通信装置に送信するように構成されることが好ましい。
【発明の効果】
【００１２】
本発明に係るネットワーク接続電力線搬送通信装置および機器接続電力線搬送通信装置を以上のように構成すると、外部から入力されるノッチ周波数情報に基づいて変調回路の出力を下げることができるため、周辺に位置する無線局に干渉することがない。
【００１３】
また、本発明に係るノッチ周波数設定システムを以上のように構成すると、ブロードバンドルータ装置から取得したグローバルＩＰアドレスに基づいて取得された住所情報、若しくは、ＧＰＳから取得した位置情報に基づいて周辺に位置する無線局の使用する周波数を取得してノッチ周波数を設定することができるため、周辺の無線局に干渉する周波数の出力を自動的に下げることができる。
【００１４】
このとき、無線局の変更があったときは、その情報からノッチ周波数を算出してネットワーク接続電力線搬送通信装置に送信することにより、無線局の変化に応じてノッチ周波数を設定して、これらの無線局への干渉を確実に防止することができる。
【発明を実施するための最良の形態】
【００１５】
以下、本発明の好ましい実施形態について図面を参照して説明する。まず、図１を用いて、ＰＬＣモデムを用いたネットワーク構成について説明する。この図１においては、ＰＬＣモデム２，３を用いて、ユーザ宅内の情報処理装置１（パーソナルコンピュータや情報家電等）をインターネット網１３に接続する場合を示している。情報処理装置１にはＰＬＣモデムの子機（以降の説明では「子ＰＬＣモデム２」と呼ぶ）が接続されており、情報処理装置１は、この子ＰＬＣモデム２を介して電力線４と情報（以降の説明では「電力線通信信号」と呼ぶ）の送受信を行う。また、電力線４には、ＰＬＣモデムの親機（以降の説明では「親ＰＬＣモデム３」と呼ぶ）が接続されている。この親ＰＬＣモデム３は、ＬＡＮ５にも接続されており、電力線４とＬＡＮ５との間でデータのやり取りを行う。
【００１６】
ＬＡＮ５にはブロードバンドルータ６が接続されており、更に回線終端装置７が接続されて光通信回線８に接続される。そして光通信回線８はネットワーク事業者の集合回線終端装置９に接続されてこの事業者の事業者ネットワーク１２に接続され、この事業者ネットワーク１２から外部のインターネット網１３に接続される。なお、光通信回線８の部分は、ＡＤＳＬやＩＳＤＮでも構わない。また、ＬＡＮ５は有線でも無線でも構わない。
【００１７】
子ＰＬＣモデム２は、図２に示すように、情報処理装置１と送受信データの授受を行う機器インタフェース２１、機器インタフェース２１を介して情報処理装置１から受け取った送信データを電力線４により搬送するための電力線通信信号（変調信号）に変調する変調回路２２、電力線４から受信した電力線通信信号（復調信号）を受信データに復調して機器インタフェース２１を介して情報処理装置１に渡す復調回路２３、電力線４に対して電力線通信信号の入出力を行う信号／電源結合回路２５、電力線通信信号を電力線４に送信するときは変調回路２２を信号／電源結合回路２５に接続し、電力線４から電力線通信信号を受信するときは復調回路２３を信号／電源結合回路２５に接続する送受信号結合回路２４、信号／電源結合回路２５により電力線４から取り出された電力によりこの子ＰＬＣモデム２を作動させる電源回路２６、および、変調回路２２の出力を制御する子機用ノッチ設定回路２７から構成される。
【００１８】
この子ＰＬＣモデム２において、情報処理装置１から機器インタフェース２１を介して渡された送信データは変調回路２２で電力線通信信号に変調され、送受信号結合回路２４から信号／電源結合回路２５に渡されて電力線４に出力される。また、この電力線４から信号／電源結合回路２５で電力線通信信号が取り出さて送受信号結合回路２４から復調回路２３に渡され、この復調回路２３で受信データに復調されて機器インタフェース２１を介して情報処理装置１に渡される。なお、子機用ノッチ設定回路２７については、後述する。
【００１９】
一方、親ＰＬＣモデム３は、図３に示すように、ＬＡＮ５と送受信データの授受を行うＬＡＮインタフェース３１、ＬＡＮインタフェース３１を介してＬＡＮ５から受信した送信データを電力線４により搬送するための電力線通信信号（変調信号）に変調する変調回路３２、電力線４から受信した電力線通信信号（復調信号）を受信データに復調してＬＡＮインタフェース３１を介してＬＡＮ５に送信する復調回路３３、電力線４に対して電力線通信信号の入出力を行う信号／電源結合回路３５、電力線通信信号を電力線４に送信するときは変調回路３２を信号／電源結合回路３５に接続し、電力線４から電力線通信信号を受信するときは復調回路３３を信号／電源結合回路３５に接続する送受信号結合回路３４、信号／電源結合回路３５により電力線４から取り出された電力によりこの親ＰＬＣモデム３を作動させる電源回路３６、および、変調回路３２の出力を制御する親機用ノッチ設定回路３７から構成される。
【００２０】
この親ＰＬＣモデム３において、ＬＡＮ５からＬＡＮインタフェース３１を介して受信した送信データは変調回路３２で電力線通信信号に変調され、送受信号結合回路３４から信号／電源結合回路３５に渡されて電力線４に出力される。また、この電力線４から信号／電源結合回路３５で電力線通信信号が取り出さて送受信号結合回路３４から復調回路３３に渡され、この復調回路３３で受信データに復調されてＬＡＮインタフェース３１を介してＬＡＮ５に渡される。なお、親機用ノッチ設定回路３７については、後述する。
【００２１】
このようにＰＬＣモデム２，３は電力線４に電力線通信信号を重畳して互いにデータの送受信を行うが、電力線４は通信目的に設計されておらず電力線通信信号が電波として漏洩してしまい周辺の無線局等の電波に干渉してしまう虞がある。そのため、上述の子機用ノッチ設定回路２７および親機用ノッチ設定回路３７が変調回路２２，３２を制御して、この変調回路２２，３２から出力される電力線通信信号（変調信号）のうち所定の周波数帯域（これを以降の説明では「ノッチ周波数」と呼ぶ）の信号強度を下げるように構成されている。
【００２２】
なお、所定の周波数帯域の信号強度を下げる方法としては、変調回路２２，３２に特定の周波数に対して急峻な減衰を与えるノッチフィルタを設け、このノッチフィルタを制御して所定の周波数帯域の信号強度を下げるように構成することができる。あるいは、このようなＰＬＣモデム２，３は、電力線通信信号として中心周波数の異なる複数のキャリアを用いる直交周波数分割多重通信（ＯＦＤＭ）と呼ばれる変調方式が用いられており、送信するデータを細かく分割し、複数の搬送波に載せて送信して高い周波数効率を実現している。そのため、複数の搬送波のうち、無線局等に干渉する虞のある周波数（ノッチ周波数）を有する搬送波の出力を変調回路２２，３２で下げる、若しくは、その搬送波は通信に利用しないように構成することにより実現することもできる。
【００２３】
以上のように本実施例に係るＰＬＣモデム２，３は、ノッチ周波数に対しては出力を下げるように構成されているが、無線局が設置されている位置情報や使用している周波数情報から設置環境毎にノッチ周波数を決定しなければならず、本実施例においては、インターネット網１３を介して接続された無線局情報管理データベース１４から無線局の情報を取得して、ネットワーク事業者が管理するＰＬＣ情報管理サーバ１１を用いてノッチ周波数をＰＬＣモデム２，３の親機用および子機用ノッチ設定回路３７，２７に設定するように構成されている。具体的には、親ＰＬＣモデム３においては、親機用ノッチ設定回路３７はＬＡＮインタフェース３１からノッチ周波数情報を得て変調回路３２を制御するとともに、そのノッチ周波数情報を電力線４を介して子ＰＬＣモデム２に送信するように構成され、子ＰＬＣモデム２においては、子機用ノッチ設定回路２７が機器インタフェース２１と接続されて復調回路２３で復調されたノッチ周波数情報を得て変調回路２２を制御するように構成されている。
【００２４】
それでは以下に、各ユーザ宅に設置されたＰＬＣモデム２，３のノッチ周波数の設定方法について説明を行う。
【実施例１】
【００２５】
第１実施例として、ネットワーク事業者が光通信回線８を提供するユーザの顧客情報からＰＬＣモデム２，３が設置されている住所情報を取得し、その住所情報から周辺の無線局を抽出してノッチ周波数を設定するように構成された場合について図４および図５を用いて説明する。ここで、ネットワーク事業者が管理する顧客情報管理データベース１０は、ネットワーク事業者の事業者ネットワーク１２に接続されており、ユーザの光通信回線８が接続されている集合回線終端装置９のポート番号、ユーザＩＤ、ユーザの住所情報、および、ユーザのブロードバンドルータ６に割り当てられたグローバルＩＰアドレス等が記憶されている。なお、グローバルＩＰアドレスはＰＰＰｏＥ等のプロトコルを用いてブロードバンドルータ６に動的に割り当てられるように構成されていても良いし、固定したアドレスが静的に割り当てられるように構成されていても良い。
【００２６】
まず、ＰＬＣモデム２，３が設置されたときのノッチ周波数の設定について図４を用いて説明する。ＰＬＣモデム２，３が設置されて電源が投入されると、ＬＡＮ５に接続されている親ＰＬＣモデム３の親機用ノッチ設定回路３７が登録情報送信処理４１を実行し、ブロードバンドルータ６に設定されているグローバルＩＰアドレスとこの親ＰＬＣモデム３のシリアルナンバーをＰＬＣ情報管理サーバ１１に送信する。ＰＬＣ情報管理サーバ１１は、親ＰＬＣモデム３から送信されたグローバルＩＰアドレスとシリアルナンバーを受け取ると、住所問い合せ処理５１によりグローバルＩＰアドレスを顧客情報管理データベース１０の検索処理６１に送信して、顧客情報（特に、住所情報）を抽出する。そして、この抽出結果である住所情報等をモデム情報登録処理５２に渡し、上述のシリアルナンバーやグローバルＩＰアドレスとともにＰＬＣ情報管理サーバ１１のモデム情報データベース５０に記憶する。
【００２７】
続いて、無線局問い合せ処理５３により、ユーザの住所情報を無線局情報管理データベース１４の検索処理７１に送信し、ユーザ宅から所定の範囲内に位置する無線局情報（無線局の位置情報や使用周波数）を取得する。なお、検索処理７１は、無線局情報の抽出として、例えば、住所情報からユーザ宅を中心に所定の半径を有する円内に位置する無線局を抽出するように構成される。
【００２８】
ＰＬＣ情報管理サーバ１１は、無線局情報を無線局情報管理データベース１４から受け取ると、ノッチ周波数計算処理５４を起動して、近傍の無線局が使用する周波数に対してノッチ周波数とし設定する必要があるか否かの判断と、ノッチ周波数に対して出力を下げる量（これらを「ノッチ周波数情報」と呼ぶ）を算出し、ノッチ周波数送信処理５５により親ＰＬＣモデム３に送信する。ここで、ブロードバンドルータ６には、光通信回線８側（ＷＡＮ側）からブロードバンドルータ６に発信された全てのＩＰフレームをＬＡＮ５内の特定ＩＰアドレス（この実施例においては、親ＰＬＣモデム３に設定されたローカルＩＰアドレス）へ転送するようにＤＭＺホスト機能が設定されており、ＰＬＣ情報管理サーバ１１から送信されたノッチ周波数情報は親ＰＬＣモデム３の親機用ノッチ設定回路３７により受信されるものとする。
【００２９】
親ＰＬＣモデム３の親機用ノッチ設定回路３７は、ＰＬＣ情報管理サーバ１１からノッチ周波数情報を受け取るとノッチ設定処理４２が変調回路３２を制御してノッチ周波数に対応する電力線通信信号（変調信号）の出力を下げる。また、同時に、変調回路３２で電力線搬送信号にノッチ周波数情報を変調して電力線４に送信し、子ＰＬＣモデム２にこのノッチ周波数情報を送信する。そして、子ＰＬＣモデム２は電力線４からノッチ周波数情報を受け取ると機器インタフェース２１を介して子機用ノッチ設定回路２７に渡し、ノッチ設定処理４３により、変調回路２２を制御してノッチ周波数に対応する電力線通信信号（変調信号）の出力を下げる。
【００３０】
このように、ネットワーク事業者の管理する顧客情報管理データベース１０を利用することにより、ＰＬＣモデム２，３を設置して電源を投入すると、そのネットワーク（ブロードバンドルータ６）に割り当てられたグローバルＩＰアドレスからユーザ宅の住所情報を得ることができ、これにより周辺の無線局情報を取得してノッチ周波数情報を算出することができるので、ノッチ周波数に対するＰＬＣモデム２，３の出力を自動的に下げることができる。そのため、このＰＬＣモデム２，３の設置作業を効率化することができるとともに、周辺の無線局等への干渉も確実に防止することができる。
【００３１】
ところで、上述のように、周辺の無線局等の運用状況は時間の経過とともに変化する可能性があるが、その場合のノッチ周波数の設定について図５を用いて説明する。無線局情報管理データベース１４において、無線局の登録情報が変更になる、即ち、現在運用中の無線局の使用周波数が変更になったり、新たに無線局等が開設されたり、閉鎖されることによりその情報が無線局情報管理データベース１４に登録されると、無線局変更通知処理７２によりその変更情報がＰＬＣ情報管理サーバ１１に通知される。ＰＬＣ情報管理サーバ１１のノッチ再設定対象抽出処理５６は、無線局情報の変更情報を受け取るとモデム情報データベース５０を検索し、変更された無線局情報に影響されるユーザを抽出する。そして、無線局情報からノッチ周波数計算処理５４を実行してノッチ周波数情報を算出し、ノッチ周波数送信処理５５より抽出されたユーザのグローバルＩＰアドレスに基づいてノッチ周波数情報をそのユーザの親ＰＬＣモデム３に送信し、上記に説明した手順で親ＰＬＣモデム３および子ＰＬＣモデム２の出力を制御する。
【００３２】
このように、無線局情報データベース１４における無線局情報の変更に応じてＰＬＣ情報管理サーバ１１が影響を受けるＰＬＣモデム２，３に対して自動的にノッチ周波数の設定を行うように構成されることにより、ユーザは再設定の必要がなく、また、確実に周辺の無線局等への干渉を防止することができる。なお、以上の説明においては、無線局情報管理データベース１４から無線局情報の変更を通知するように構成した場合について説明したが、ＰＬＣ情報管理サーバ１１がノッチ再設定対象抽出処理５６を定期的に実行して、無線局情報管理データベース１４に変更が発生していないかを問い合わせるように構成することも可能である。また、以上の実施例においては、１台の子ＰＬＣモデム２が電力線４に接続されている場合について説明したが、子ＰＬＣモデム２は複数台接続されていても良い。
【実施例２】
【００３３】
以上のように、第１実施例ではネットワーク事業者の顧客情報を用いてユーザ宅の住所情報を取得することにより周辺の無線局を抽出していたが、ＧＰＳを用いて位置情報を測定し、その位置情報に基づいて無線局を抽出するように構成することも可能であり、そのように構成した場合について図６および図７を用いて説明する。
【００３４】
まず、ＰＬＣモデムの構成であるが、図６に示すように親ＰＬＣモデム３′には、ＧＰＳアンテナ３９を用いて位置情報（緯度および経度情報）を取得する位置取得回路３８が備えられ、その位置情報が親機用ノッチ設定回路３７に渡されるように構成されている。なお、図６においては、第１実施例で説明した親ＰＬＣモデム３と同じ構成要素については同じ符号を付して詳細な説明は省略する。また、子ＰＬＣモデム２は、第１実施例のものと同じである。
【００３５】
ＰＬＣモデム２，３′が設置されて電源が投入されると、親ＰＬＣモデム３′の親機用ノッチ設定回路３７は位置取得回路３８から位置情報（緯度および経度情報）を取得し、その位置情報とシリアルナンバーとをＰＬＣ情報管理サーバ１１に送信する。ＰＬＣ情報管理サーバ１１では、受け取った位置情報およびシリアルナンバーをモデム情報登録処理５２′によりモデム情報データベース５０に記憶し、無線局問い合せ処理５３により無線局情報管理データベース１４に無線局情報を問い合せる。そして、無線局情報に基づいてノッチ周波数計算処理５４でノッチ周波数情報を算出して、ノッチ周波数送信処理５５により親ＰＬＣモデム３′に送信する。親ＰＬＣモデム３′では受け取ったノッチ周波数情報に基づいてノッチ設定処理４２が変調回路３２の出力を制御するとともに子ＰＬＣモデム２にノッチ周波数情報を送信し、子ＰＬＣモデム２においてもノッチ設定処理４３がノッチ周波数情報を受け取って変調回路２２の出力を制御する。
【００３６】
このように、ＰＬＣモデム２，３′側にＧＰＳ３９を設け、そこから得られる位置情報によりノッチ周波数を設定することにより、ネットワーク事業者側でユーザの住所情報（位置情報）が得られなくても自動的にノッチ周波数の設定が可能となる。なお、ＰＬＣモデム２，３′が設置された後に無線局に変更があった場合の処理については第１実施例と同様である。
【図面の簡単な説明】
【００３７】
【図１】本発明に係るノッチ周波数設定システムの構成を示すブロック図である。
【図２】ＰＬＣモデムの子機の構成を示すブロック図である。
【図３】第１実施例に係るＰＬＣモデムの親機の構成を示すブロック図である。
【図４】第１実施例においてＰＬＣモデム設置時にノッチ周波数を設定する処理を示すフロー図である。
【図５】第１実施例において無線局の変更があったときにＰＬＣモデムにノッチ周波数を設定する処理を示すフロー図である。
【図６】第２実施例に係るＰＬＣモデムの親機の構成を示すブロック図である。
【図７】第２実施例においてＰＬＣモデム設置時にノッチ周波数を設定する処理を示すフロー図である。
【符号の説明】
【００３８】
１  情報処理装置（外部装置）
２  子ＰＬＣモデム（機器接続電力線搬送通信装置）
３，３′  親ＰＬＣモデム（ネットワーク接続電力線搬送通信装置）
４  電力線
５  ＬＡＮ
６  ブロードバンドルータ（ルータ装置）
１０  顧客情報管理データベース
１１  ＰＬＣ情報管理サーバ
１２  事業者ネットワーク（外部ネットワーク）
１３  インターネット網（外部ネットワーク）
１４  無線局情報管理データベース
２２，３２  変調回路
２３，３３  復調回路
２５，３５  信号／電源結合回路
２７  子機用ノッチ設定回路
３７  親機用ノッチ設定回路
３８  位置取得回路（ＧＰＳ）
３９  ＧＰＳアンテナ（ＧＰＳ）
【図１】
2006216996.tif 000003
【図２】
2006216996.tif 000004
【図３】
2006216996.tif 000005
【図４】
2006216996.tif 000006
【図５】
2006216996.tif 000007
【図６】
2006216996.tif 000008
【図７】
2006216996.tif 000009